(57)【要約】【課題】容易に使用し得るとともに、容易に製造でき、さらに、冷却ガスを効果的に使用し得るような、冷却デバイスを提供すること。【解決手段】製品Ｐを収容した収容デバイス５を冷却するための冷却デバイス１であって、−冷却剤を収容し、長手方向軸線Ｘを有し、バルブ３を備えている、加圧容器２と、−収容デバイスを収容するハウジングを構成し、冷却剤が収容デバイスの外面上に沿って搬送されるようにしてバルブ上に取り付けられた、支持体６と、−支持体に対して移動可能とされたベース１４と、を具備し、この場合、ハウジングが、収容デバイスの開口５４がバルブとは反対側に配置されている、あるいは、カバー２１を具備している、あるいは、バルブには、散布手段が設けられていない。【選択図】図２
2007093198.tif 000002
【特許請求の範囲】
【請求項１】
特に化粧用製品といったような製品（Ｐ）を収容した収容デバイス（５）を冷却するための冷却デバイス（１）であって、
−冷却剤を収容しているとともに、長手方向軸線（Ｘ）を有し、さらに、第１端部（１０）のところに、前記冷却剤を放出するためのバルブ（３）を備えている、加圧容器（２）と、
−冷却対象をなす前記収容デバイスを収容するためのハウジングを構成しているとともに、放出された冷却剤が前記収容デバイスの外面上に沿って搬送されるようにして前記バルブ上に取り付けられた、支持体（６）と、
−前記支持体に対して移動可能とされたベース（１４）と、
を具備し、
前記支持体に対して前記ベースを移動させることによって前記バルブを駆動し得るようにして、前記加圧容器が、前記ベースと前記支持体との間に配置され、
このような冷却デバイスにおいて、
前記ハウジングが、前記収容デバイスの開口（５４）が前記長手方向軸線（Ｘ）がなす方向に関して前記バルブとは反対側に配置されているようにして、前記収容デバイスを収容していることを特徴とする冷却デバイス。
【請求項２】
特に化粧用製品といったような製品（Ｐ）を収容した収容デバイス（５）を冷却するための冷却デバイス（１）であって、
−冷却剤を収容しているとともに、長手方向軸線（Ｘ）を有し、さらに、第１端部（１０）のところに、前記冷却剤を放出するためのバルブ（３）を備えている、加圧容器（２）と、
−冷却対象をなす前記収容デバイスを収容するためのハウジングを構成しているとともに、放出された冷却剤が前記収容デバイスの外面上に沿って搬送されるようにして前記バルブ上に取り付けられた、支持体（６）と、
−前記支持体に対して移動可能とされたベース（１４）と、
を具備し、
前記支持体に対して前記ベースを移動させることによって前記バルブを駆動し得るようにして、前記加圧容器が、前記ベースと前記支持体との間に配置され、
このような冷却デバイスにおいて、
前記収容デバイスを前記ハウジングの内部に収容し得るようにして前記支持体に対して相互作用し得るカバー（２１）を具備していることを特徴とする冷却デバイス。
【請求項３】
特に化粧用製品といったような製品（Ｐ）を収容した収容デバイス（５）を冷却するための冷却デバイス（１）であって、
−冷却剤を収容しているとともに、長手方向軸線（Ｘ）を有し、さらに、第１端部（１０）のところに、前記冷却剤を放出するためのバルブ（３）を備えている、加圧容器（２）と、
−冷却対象をなす前記収容デバイスを収容するためのハウジングを構成しているとともに、放出された冷却剤が前記収容デバイスの外面上に沿って搬送されるようにして前記バルブ上に取り付けられた、支持体（６）と、
−前記支持体に対して移動可能とされたベース（１４）と、
を具備し、
前記支持体に対して前記ベースを移動させることによって前記バルブを駆動し得るようにして、前記加圧容器が、前記ベースと前記支持体との間に配置され、
このような冷却デバイスにおいて、
前記バルブには、散布手段が設けられていないことを特徴とする冷却デバイス。
【請求項４】
請求項１〜３のいずれか１項に記載の冷却デバイスにおいて、
前記支持体が、前記バルブの駆動ステム（４）上において、固定された軸線方向位置のところに取り付けられていることを特徴とする冷却デバイス。
【請求項５】
請求項１〜４のいずれか１項に記載の冷却デバイスにおいて、
前記支持体上に保持されたカバースカート（１６）を具備し、
前記ベースが、前記カバースカートの内部へとスライド移動し得るものとされていることを特徴とする冷却デバイス。
【請求項６】
請求項１〜５のいずれか１項に記載の冷却デバイスにおいて、
前記収容デバイスを収容し得るようにして前記支持体に対して相互作用し得るカバー（２１）を具備していることを特徴とする冷却デバイス。
【請求項７】
請求項１〜６のいずれか１項に記載の冷却デバイスにおいて、
前記支持体が、
前記支持体が前記ベースと相互作用することによって前記バルブの駆動を阻止している第１状態と、
前記バルブが駆動可能とされた第２状態と、
との間にわたって移行可能とされていることを特徴とする冷却デバイス。
【請求項８】
請求項７記載の冷却デバイスにおいて、
前記収容デバイスを収容し得るようにして前記支持体に対して相互作用し得るカバー（２１）を具備し、
このカバーを開けるという操作によって、前記支持体が前記第１状態から前記第２状態へと移行するものとされていることを特徴とする冷却デバイス。
【請求項９】
請求項１〜８のいずれか１項に記載の冷却デバイスにおいて、
前記支持体上に前記収容デバイスを保持するための手段（２２，２６）を具備していることを特徴とする冷却デバイス。
【請求項１０】
請求項１〜９のいずれか１項に記載の冷却デバイスにおいて、
前記支持体が、内部を通して前記冷却剤が放出させる多孔質シート（２７）を備えていることを特徴とする冷却デバイス。
【請求項１１】
請求項１〜１０のいずれか１項に記載の冷却デバイスにおいて、
前記支持体が、前記冷却剤の放出を案内し得るよう、ネジ山（１０６）付きの内壁（７２）を備えていることを特徴とする冷却デバイス。
【請求項１２】
請求項１〜１１のいずれか１項に記載の冷却デバイスにおいて、
前記支持体が、前記収容デバイスの底部から前記収容デバイスの開口（５４）の周辺にまで前記冷却剤を搬送するための流通チャネル（３１）を備えていることを特徴とする冷却デバイス。
【請求項１３】
アセンブリであって、
請求項１〜１２のいずれか１項に記載の冷却デバイスと、製品収容デバイスと、を具備してなり、
前記収容デバイスの開口（５４）が、前記長手方向軸線（Ｘ）がなす方向に関して前記バルブとは反対側に配置されていることを特徴とするアセンブリ。
【請求項１４】
請求項１３記載のアセンブリにおいて、
前記収容デバイスが、フィルム（５２）によってカバーされたディッシュ（５１）とされていることを特徴とするアセンブリ。
【請求項１５】
請求項１３または１４記載のアセンブリの使用であって、
化粧用製品を冷却するために使用され、
特に、顔または身体のためのケア製品、または、太陽の有害な影響から皮膚を保護するための製品、または、太陽光を浴びた後のケア製品、といったような化粧用製品を冷却するために使用されることを特徴とする使用。
【発明の詳細な説明】
【技術分野】
【０００１】
本発明は、冷却デバイスに関するものであり、また、冷却デバイスを備えたアセンブリに関するものであり、また、好ましくは化粧用製品といったような製品を冷却しながら収容するためのデバイスに関するものである。
【０００２】
『化粧品』という表現は、１９９３年６月１４日付けでの理事会指令第９３／３５／ＥＥＣ号に規定された製品を意味している。
【背景技術】
【０００３】
使用者が皮膚に対して冷たい刺激を受けながら化粧用製品を適用したいときには、使用者は、時によっては、製品を使用する前に、製品を収容した容器を、冷蔵庫に入れておく。これにより、製品は、適用対象をなす皮膚に対して冷たい刺激を与え得るような温度にまで、冷却される。しかしながら、使用者が製品を使用したい時、使用者が自宅にいない場合には、例えば浜辺にいる場合には、予め冷却しておいた製品が、すぐに暖かくなってしまい、もはや望んだ効果を得ることができない。
【０００４】
特許文献１には、冷却した製品を適用し得るような化粧用製品のためのディスペンサが開示されている。このディスペンサは、それ自体が冷却デバイスを備えている。ディスペンサは、適用対象をなす製品を収容した第１容器と、冷却ガスを収容した第２容器と、を備えている。放出されることとなる製品は、コイル状チューブを介して、放出用開口へと、流れる。一方、冷却ガスは、製品放出チューブを取り囲んでいる環状チャンネルを通して流れる。これにより、製品が放出される際には、チューブとこのチューブ内の製品とを冷却することができる。チューブ内を流れる製品の量が、冷却ガスの量と比較して、かなり大きいことのために、冷却ガスによって製品を冷却し得るだけの時間を提供し得るよう、チューブは、かなり長いものである必要がある。この特許文献１に記載のディスペンサは、したがって、比較的嵩高いものである。このことは、ディスペンサにとって理想的なものではなく、特に、形態を意図した場合には、理想的なものではない。
【０００５】
特許文献２には、口紅と、この口紅を冷却するためのデバイスと、を備えたアセンブリが開示されている。口紅は、支持体に対して移動可能であるようにして、取り付けられている。これにより、口紅は、口紅が支持体の内部に位置した貯蔵位置から、口紅が支持体から突出した使用位置へと、移行することができる。アセンブリは、キャップを備えている。キャップは、口紅が貯蔵位置にあるときに、支持体上に取り付けることができる。このキャップが、冷却デバイスを備えている。
【０００６】
このアセンブリには、表面に対する適用されるための使用位置においては、口紅を冷却することができないという問題点がある。
【０００７】
特許文献２におけるキャップは、ベースと、冷却ガスを収容した加圧容器と、を備えている。加圧容器は、ベースに対して移動可能であるようにして、取り付けられている。これにより、加圧容器をベースに対して移動させることによって加圧容器のバルブを駆動し得るものとされている。いくらかの冷却ガスが、口紅に向けて放出される。放出される冷却ガスの大部分は、加圧容器とベースとの間に形成されたギャップを通して放出され、これにより、上記相対移動が可能とされる。
【０００８】
また、特許文献３には、携帯式のキットが開示されており、このキットを使用して供給されるある量の製品を冷却し得るものとされている。しかしながら、そのようなキットを使おうとしている使用者は、煩雑な手動組み立て作業を行わなければならない。
【０００９】
特許文献４，５には、空の飲料用グラスの壁を冷却するデバイスが開示されている。グラスの自由端が、デバイスのうちの、冷却ガスが排出されているプラットホームに対して、当接される。
【００１０】
容易に使用し得るとともに、容易に製造でき、さらに、冷却ガスを効果的に使用し得るような、冷却デバイスが要望されている。
【特許文献１】国際公開第２００４／１００７０４号パンフレット
【特許文献２】米国特許第４，５８４，８４７号明細書
【特許文献３】欧州特許出願公開第０ ４５９ ５０８号明細書
【特許文献４】米国特許第３，３８３，８７９号明細書
【特許文献５】米国特許第３，３７３，５８０号明細書
【発明の開示】
【課題を解決するための手段】
【００１１】
本発明の目的は、特に化粧用製品といったような製品を収容した収容デバイスを冷却するための冷却デバイスを提案することにより、上記様々な問題点の少なくとも１つを克服することであり、本発明においては、
−冷却剤を収容しているとともに、長手方向軸線を有し、さらに、第１端部のところに、冷却剤を放出するためのバルブを備えている、加圧容器と、
−冷却対象をなす収容デバイスを収容するためのハウジングを構成しているとともに、放出された冷却剤が収容デバイスの外面上に沿って搬送されるようにしてバルブ上に取り付けられた、支持体と、
−支持体に対して移動可能とされたベースと、
を具備し、支持体に対してベースを移動させることによってバルブを駆動し得るようにして、加圧容器が、ベースと支持体との間に配置され、ハウジングが、収容デバイスの開口が長手方向軸線がなす方向に関してバルブとは反対側に配置されているようにして、収容デバイスを収容している。これにより、バルブが駆動されている時であってさえ、製品に対してアクセスすることができる。この構成の他の利点は、収容デバイス内において温度傾度を形成し得るようにして、冷却剤を、収容デバイスの底部に対して接触させるという事実にある。これにより、収容デバイスがディップチューブに対して連結されたポンプを有している場合には、底部の近傍において最も冷却された製品を採取することができる。冷却作用を漸次的なものとして化粧品を使用することが要望された場合には、徐々に強く冷却された量の製品を、収容デバイスの中から連続した複数の製品層を採取することによって、徐々に適用することができる。
【００１２】
本発明は、また、特に化粧用製品といったような製品を収容した収容デバイスを冷却するための冷却デバイスに関するものであって、
−冷却剤を収容しているとともに、長手方向軸線を有し、さらに、第１端部のところに、冷却剤を放出するためのバルブを備えている、加圧容器と、
−冷却対象をなす収容デバイスを収容するためのハウジングを構成しているとともに、放出された冷却剤が収容デバイスの外面上に沿って搬送されるようにしてバルブ上に取り付けられた、支持体と、
−支持体に対して移動可能とされたベースと、
を具備し、支持体に対してベースを移動させることによってバルブを駆動し得るようにして、加圧容器が、ベースと支持体との間に配置され、バルブには、散布手段が設けられていない冷却デバイスに関するものである。これにより、バルブからの導出部のところにおいて、冷却剤を、複数の液滴へと霧化させることがない。よって、冷却剤は、より長時間にわたって液体状態を維持することができる。よって、液体状態から気体状態への状態変化を、時間的に遅らせることができる。この構成により、冷却デバイスによる冷却効果を延長することができる。
【００１３】
本発明は、また、特に化粧用製品といったような製品を収容した収容デバイスを冷却するための冷却デバイスであって、
−冷却剤を収容しているとともに、長手方向軸線を有し、さらに、第１端部のところに、冷却剤を放出するためのバルブを備えている、加圧容器と、
−冷却対象をなす収容デバイスを収容するためのハウジングを構成しているとともに、放出された冷却剤が収容デバイスの外面上に沿って搬送されるようにしてバルブ上に取り付けられた、支持体と、
−支持体に対して移動可能とされたベースであるとともに、支持体に対してベースを移動させることによってバルブを駆動し得るようにして加圧容器をベースと支持体との間に配置させているような、ベースと、
−収容デバイスをハウジングの内部に収容し得るようにして支持体に対して相互作用し得るカバーと、
を具備している冷却デバイスに関するものである。言い換えると、バルブは、カバーによって閉塞されたハウジング内において、開口している。よって、ハウジングは、支持体と、この支持体の内部に配置された収容デバイスと、の間において、限られたスペースを形成する。スペースが限られていることにより、冷却剤の膨張が制限される。よって、冷却剤は、少なくとも一部が、より長い時間にわたって液体状態を維持することができる。これにより、放出された１回分の冷却剤によって提供される冷却効果を延長することができる。
【００１４】
容器の外周縁は、有利には、ベースと支持体との間においては、隠されることができる。
【００１５】
特に、ベースは、加圧容器の第２端部に取り付けることができ、第１端部と第２端部とは、長手方向軸線がなす方向に関して、互いに反対側に位置している。
【００１６】
ベースは、支持体に対して移動することができ、特に、長手方向軸線に沿ってスライド移動することができる。
【００１７】
支持体は、バルブの駆動ステム上において、固定された軸線方向位置のところに取り付けることができる。
【００１８】
冷却デバイスは、例えば、支持体に対して保持されたカバースカートを備えることができ、これにより、ベースをカバースカートの内部においてスライド移動させることができる。この場合、加圧容器は、支持体とカバースカートとベースとによって規定された容積の中に隠されて保護される。
【００１９】
よって、冷却デバイスは、支持体に対して相互作用し得るカバーを備えることができる。これにより、収容デバイスを囲むことができる。よって、冷却剤が、収容デバイスの外面に対して放出されるときに、冷却効果を長く維持することができる。
【００２０】
支持体は、支持体がベースと相互作用することによってバルブの駆動を阻止している第１状態と、バルブが駆動可能とされた第２状態と、との間にわたって移行可能とすることができる。これにより、冷却デバイスに、冷却デバイスの偶発的な動作を引き起こすことがなく冷却剤の廃棄をもたらさないモードをもたらし得る『オン／オフ』システムを設けることができる。このことは、偶発的な衝撃が発生しやすいような、バッグ内での持ち運びに際して、特に有利である。
【００２１】
使用者が収容デバイスを冷やしたい時にだけバルブを動作させることをより確実なものとし得るよう、カバーを開けるという操作によって、支持体が第１状態から第２状態へと移行可能なものとすることができる。これにより、カバーを開けて収容デバイスを支持体内に配置している状態では、バルブが駆動するというリスクがない。これに対し、カバーを支持体に対して取り付けた状態においては、アセンブリは、すぐに使用することができ、最適な冷却を得ることができる。
【００２２】
好ましくは、冷却デバイスは、支持体上に収容デバイスを保持するための着脱手段を備えることができる。これにより、収容デバイスを、冷却デバイスから取り外すことができ、個別的なものとすることができる。これに代えて、収容デバイスは、動作アセンブリという態様とされた着脱手段を使用して、支持体に対して堅固に保持することもできる。
【００２３】
特に、冷却剤は、液化されたガスである。それは、特に、炭化水素、『フレオン』（登録商標）、または、ジメチルエーテル、の中から選択することができる。冷却剤は、例えば、液化状態でもってパッケージングされたガスＨＦＣ１３４ａ（登録商標）である。
【００２４】
支持体は、収容デバイスを受領し得るよう、多孔質シートを備えることができる。これにより、多孔質シートが弾性変形可能な材料から形成されている場合には、収容デバイスを、軽くくさび止めされるようにして、配置することができる。多孔質シートの他の利点は、放出された冷却剤のいくらかを吸収し得ることであり、また、冷却剤を徐々に膨張させ得ることである。このことは、バルブが大きな流速でもっておよび／または連続的に放出する場合に、有利である。例えば、この多孔質シートは、開放セルを有した合成発泡フォームから形成することができる。
【００２５】
例えば、支持体は、冷却剤の放出を案内し得るよう、ネジ山付きの内壁を備えることができる。例えば、ネジ山付きの壁は、収容デバイスの外面に対して相互作用することができ、これにより、収容デバイスまわりにおいて、螺旋コイルを形成することができる。
【００２６】
支持体は、収容デバイスの底部から収容デバイスの開口の周辺にまで冷却剤を搬送するための流通チャネルを備えることができる。これにより、収容デバイスのうちの、製品がまず最初に採取される場所であるとともに最も冷却したい場所である開口近傍に位置した製品の近傍において、最大の冷却を得ることができる。これに対し、収容デバイスが、例えばディップチューブを有したポンプといったような適用手段を備えている場合には、冷却剤は、この収容適用デバイスのうちの、ディップチューブが製品を吸引している底部近傍に対して、主に放出される。
【００２７】
本発明は、また、本発明による冷却デバイスと、製品収容デバイスと、を具備しているアセンブリに関するものである。このようなアセンブリにおいては、収容デバイスは、支持体から取り外し可能なものとすることができる。収容デバイスの開口は、長手方向軸線がなす方向に関してバルブとは反対側に配置することができる。これにより、バルブが動作している場合であってさえ、製品に対してアクセスすることができる。収容デバイスは、フィルムによってカバーされたディッシュとすることさえできる。
【００２８】
好ましくは、本発明は、本発明によるアセンブリの使用に関するものであって、化粧用製品を冷却するために使用され、特に、顔または身体のためのケア製品、または、太陽の有害な影響から皮膚を保護するための製品、または、太陽光を浴びた後のケア製品、といったような化粧用製品を冷却するために使用される。収容デバイス内に収容される製品は、液体や、クリームや、ゲルや、あるいは、ムース、という態様のものとされる。製品は、また、ワイプ上に含浸することもできる。
【発明を実施するための最良の形態】
【００２９】
本発明は、添付図面を参照しつつ以下の詳細な説明を読むことにより、明瞭となるであろう。添付図面および以下の詳細な説明は、単なる例示に過ぎず、本発明を何ら限定するものではない。
【００３０】
図１は、斜視図によって、本発明による冷却デバイス１を示している。図２は、図１のデバイス１を、長手方向断面図によって示している。デバイス１は、冷却剤を含有している容器２を備えている。
【００３１】
容器２は、バルブ３を有した加圧容器とされている。バルブ３には、駆動ステム４が設けられている。好ましくは、バルブ３は、計量バルブとされ、各放出のたびごとに放出される冷却剤の量を計量することができる。これにより、容器が、１回の使用で空となってしまうことが防止される。
【００３２】
駆動ステム４は、中空のものであり、冷却剤は、駆動ステム４が押下された際にこの駆動ステムを通して放出される。変形例においては、傾斜させることによって、ステムを駆動することができる。あるいは、押下と傾斜との一方または双方を使用することによって、ステムを駆動することができる。
【００３３】
本発明による冷却デバイス１は、収容デバイス５内に収容された製品Ｐを冷却し得るように、構成されている。収容デバイス５は、駆動ステム４上に保持された支持体６上に配置されている。支持体６は、オリフィス７を備えている。オリフィス７は、駆動ステム４の放出オリフィスに対して流体連通しているとともに、支持体６のうちの、収容デバイス５が収容されているハウジング８に対して開口している。これにより、駆動ステム４が押下されたときには、冷却剤は、主に、好ましくは排他的に、収容デバイス５の外面に対して接触しているハウジング８内へと、導かれる。
【００３４】
図２に示す例においては、収容デバイス５は、リザーバを形成するディッシュ５１とされている。ディッシュは、好ましくは、例えば金属材料といったような熱伝導材料から形成されている。ディッシュ５１は、この収容デバイスの開口５４の周縁５３まわりにおいて、熱シールフィルム５２によってカバーされている。ディッシュ５１は、好ましくは、駆動ステム４の放出オリフィスに対してディッシュ５１が対向するようにして、ハウジング８内に配置されている。この際、開口５４は、このオリフィスとは反対側に配置されている。よって、冷却剤は、まず最初に、ディッシュ５１に対して放出される。
【００３５】
フィルム５２は、例えば、熱可塑性フィルムである。フィルム５２は、冷却済みの製品Ｐを採取する際には穿孔され得るように構成されている。これにより、使用者が冷却済み製品Ｐを適用した時には、適用とともに、新鮮な感覚と快適な感覚とが付随する。特にサンケア製品の場合には、一般に暑い屋外で適用することから、新鮮な感覚と快適な感覚とが大きなものとなる。製品が皺伸ばしクリームである場合には、冷却状態で適用された製品の即効性が改良される。なぜなら、冷却済み製品の構成分子が縮んでおり、より効果的に皮膚内へと浸透するからである。
【００３６】
冷却剤は、例えば、容器内において加圧された際には液化状態となるようなガスとされる。このガスは、気体状態へと膨張した際には温度を低下させるという特性を有している。例えば、炭化水素を使用することができる。例えば、３，２ブタンジメチルエーテルすなわち『フレオン』（登録商標）を使用することができる。例えば、ＨＦＣ１３４ａ（登録商標）を使用することができる。
【００３７】
加圧容器２は、長手方向軸線Ｘを有した円筒形状ボディ９から形成されている。ボディ９は、好ましくは、この軸線Ｘに関して軸線対象なものとされている。ボディ９の第１上端１０は、ボディ９の巻締エッジ１２上にクリンプ止めされたディッシュ１１によって閉塞されている。バルブ３は、クリンピングにより、ディッシュ１１内に保持されている。軸線Ｘ方向に関し、第１上端１０の反対側には、第２端部１３が設けられている。第２端部１３は、ボディ９の閉塞ベースを構成している。
【００３８】
収容デバイス５は、軸線Ｘ方向に関し、支持体６のうちの、バルブステム４が取り付けられているサイドとは反対側のサイドに、配置されている。好ましくは、開口５４は、軸線方向において、支持体６を挟んで、バルブ３とは反対側に位置している。収容デバイス５は、ハウジング内において、開口５４が支持体とは逆向きを向くようにして、配置されている。これにより、バルブ３の駆動時であってさえも、開口５４に対してアクセスすることができる。
【００３９】
ベース１４は、第２端部１３の近傍において、ボディ９の外周縁上に取り付けられている。ベース１４は、例えば、環状スカート１５を使用して容器２をクランプ止めすることにより、容器２を保持している。ベース１４は、環状スカート１５を延出させている横断壁６０を備えている。同軸的に、ベース１４は、環状スカート１５を取り囲む第２環状スカート６１を備えている。第２環状スカート６１は、環状スカート１５と比較して、軸線Ｘに沿って、より高くまで延出されており、例えば５倍だけ高いところにまで延出されている。
【００４０】
支持体６は、ハウジング８内へとオリフィス７を介して開口している流通チャネル３１を備えている。このチャネル３１は、少なくとも部分的には、支持体６のベース７０内に形成されている。図２，３，４の実施形態においては、オリフィス７は、このベース７０の中央領域内へと開口している。ベース７０からは、取付スカート７１が、ハウジング８をを形成しているサイドとは反対側のサイドから、延出されている。この取付スカート７１は、冷却剤のための流通チャネル３１の一部を形成している。取付スカート７１は、駆動ステム４の周縁においてシール状態でもって嵌合され得るよう構成されている。これにより、放出された冷却剤は、このチャネル３１内へと放出される。これにより、冷却剤は、ハウジング８内だけへと直接的に放出される。
【００４１】
取付スカート７１の反対側においては、側壁７２が、ベース７０から突出しており、これにより、ハウジング８を規定している。側壁７２は、例えば、ハウジング８を円筒形状とするようなものとされている。
【００４２】
支持体６は、好ましくは、軸線Ｘに沿って容器２を囲んでいるカバースカート１６と一体的であるようにして、取り付けられている。この目的のために、固定手段７３を、図２および図４に示ように、例えばスナップ固定によって、カバースカート１６に対して相互作用させることができる。図２，３，４に示すように、固定手段７３は、環状膨出部材という態様のものとされ、カバースカート１６の内周縁上に形成された相補的なグルーブ７４に対して係合し得るものとされている。固定手段７３は、例えば、側壁７２の周縁から延出されたカラー７５上に形成されている。このカラー７５は、径方向に変形し得るように構成されている。これにより、カラー７５は、側壁７２の周囲において、側壁７２から離間しつつ、延在している。
【００４３】
このカバースカート１６は、図１および図２の実施形態においては、円錐台形状とされている。この場合、最小の横断面形状部分が、ベース１４側に位置するものとされている。カバースカート１６は、ベース１４に対して係合されている。これにより、ベースを保持し得るとともに、カバースカート１６に対してのベース１４の相対移動に耐えることができる。カバースカート１６が支持体６に対して一体的とされていることにより、なおかつ、支持体６が駆動ステム４に対して一体的とされていることにより、カバースカート１６に対してのベース１４の移動が、バルブ３を駆動しての冷却剤の放出を引き起こす。
【００４４】
図３においては、デバイス１は、カバースカート１６を省略して図示されている。第２環状スカート６１のリム６２から突出している弾性変形可能なタング１７を見ることができる。これらタング１７は、ラグ６３を有している。ラグ６３は、カバースカート１６の内周縁上に形成された相補的な環状膨出部材１８に対して、スナップ固定によって、相互作用することができる。膨出部材１８は、グルーブ７４とは反対側の端部に形成されている。タング１７は、軸線Ｘに対して実質的に平行に延在している。タング１７は、好ましくは、リム６２の周縁回りにおいて、互いに等間隔で配置されている。
【００４５】
カバースカート１６の内部構成は、タング１７上のラグ６３が膨出部材１８を通過することによってベース１４がカバースカート１６上に保持されるように、構成されている。ベースが保持された状態においても、カバースカート１６は、この実施形態においては、軸線Ｘに沿って並進移動可能なままとされている。ベース１４は、第２環状スカート６１を超えて外向きに突出している側方凹所１９を備えている。側方凹所１９に対しては、カバースカート１６のエッジ面２０を係合させることができる。これにより、ベースとカバースカートとの間において許容された軸線方向相対移動を制限することができる。
【００４６】
図１および図２においては、デバイス１は、カバー２１を取り付けた状態で図示されている。一方、図３においては、カバーを取り外した状態で図示されている。カバー２１は、着脱可能である。カバー２１は、支持体６上に保持される。カバー２１は、図４に示すように、ネジ山２２を備えている。ネジ山２２は、支持体６のカラー７５の外周縁上の相補的なネジ山２３に対して、相互作用することができる。カバー２１を支持体６上に取り付けた際には、カバー２１は、カバースカート１６のエッジ面２４に対してほとんど係合する。これにより、カバー２１を取り付けた状態では、支持体６は、シールされる。
【００４７】
好ましくは、カバー２１は、支持体６によって規定されたハウジング８を閉塞する。その場合、収容デバイス５は、閉塞された空間内に保持される。好ましくは、カバー２１は、保持スカート２５を備えている。保持スカート２５は、収容デバイス５の開口５４の周縁５３に対して当接することができる。これにより、収容デバイス５を、ハウジング８内部において、所定の軸線方向位置に保持することができる。
【００４８】
保持スカート２５は、ハウジング８の内部においてリザーバを形成しているディッシュ５１を保持するための手段２６によって補助される。この手段２６は、保持リング（図５）の形態とされ、保持リングは、周縁５３上に当接するとともに、支持体６上に螺着することによって保持される。特に、保持リング２６は、側壁７２の外周縁上の相補的なネジ山に対して相互作用し得るネジ山を備えている。これにより、リング２６が取り付けられた状態においては、リングは、部分的に、側壁７２とカラー７５の一部との間に配置される。ディッシュの内容物を使い終わった際には、カバー２１と保持リング２６とを取り外すことにより、ディッシュ５１を取り外して交換することができる。
【００４９】
図２および図４に示すように、多孔性材料から形成されたシート２７が、ハウジング８の内部に配置されている。このシート２７の寸法は、ディッシュ５１を受領し得るよう特別に構成されている。これにより、ハウジング８の内部におけるディッシュ５１の径方向遊びを制限することができる。シート２７は、支持体６のベース７０に係止するベース２８を備えている。シート２７は、さらに、ベース２８から延出されたスカート２９を備えている。シート２７が、例えばフォームといったような弾性変形可能な材料から形成されている場合には、スカート２９は、軽くくさび止めされるようにして、ディッシュ５１を受領し得るよう構成される。ディッシュ５１の周縁５３は、特に、スカート２９の環状エッジ面３０上に形成されるように構成される。
【００５０】
好ましくは、多孔質シート２７は、開放セルを備えている。これにより、加圧状態で放出された冷却剤を浸透させることができる。これにより、冷却剤をシート内に部分的に保持し得るとともに、冷却剤を徐々に膨張させることができる。よって、ガスが、シート２７内にわたって主に膨張し、これにより、製品Ｐは、ディッシュ５１の壁を介してのかつシート２７を介しての伝導によって、直接的に冷却される。ディッシュ５１を形成しているこの壁は、熱伝達に関する抵抗性の小さなものとされている。これにより、製品Ｐに対して伝達すべき冷却エネルギーを良好に伝達することができる。
【００５１】
ディッシュ５１は、シート２７内において、デバイス５の開口５４がベース２８，７０とは反対側に位置するようにすなわち冷却剤が放出されているサイドとは反対側に位置するように、配置される。
【００５２】
ディッシュ５１が、１回分よりも多くの製品を含有している場合には、ディッシュは、完全に空になるまで冷却デバイス１上に恒久的に保持することができる。この場合、適用される製品は、開口５４を通して最も即座にアクセスできるものである。
【００５３】
このため、本発明の変形例においては、冷却液の流れは、開口５４の近傍へと、流通チャネル３１を通して案内される。その場合、オリフィス７は、ベース７０のところではなく、側壁７２の内面上において、開口する。この変形例においては、図６および図７に示すように、支持体６は、２つのユニット６ａ，６ｂを組み合わせることによって、得られる。これにより、図８〜図１０に示すように、それらユニットの間に、流通チャネル３１を形成することができる。
【００５４】
この目的のために、第１ユニット６ａ（図８）は、下部横断壁１００を備えている。下部横断壁１００の外面からは、取付スカート７１が突出しており、これにより、駆動ステム４の放出オリフィスに対して流体連通した状態で取り付けることができる。取付スカート７１は、開口１０１に対して開口している。第１ユニット６ａは、さらに、固定手段１０２を備えている。これにより、第１ユニット６ａを、第２ユニット６ｂに対して保持することができる。例えば、固定手段１０２は、摩擦および／またはスナップ固定によって、相互作用する。例えば、固定手段１０２は、第１環状スカートの形態とされる。
【００５５】
第２ユニット６ｂ（図９および図１０）は、下部横断壁１００に対して押圧され得るよう構成された上部横断壁１０３を備えている。この場合、上部横断壁１０３をなす面上に形成されたグルーブ１０４は、上部横断壁１０３と下部横断壁１００とが互いに押圧された状態において、チャネル３１の一部を形成する。チャネル３１は、上部横断壁１０３に付設された第２環状スカート１０５と、第１環状スカート１０２と、の間へと連接される。
【００５６】
ユニット６ａ，６ｂが互いに組み立てられたときには、両横断壁１００，１０３がベース７０を形成し、環状スカート１０２，１０５が協働して側壁７２を形成する。
【００５７】
図６〜図１０の実施形態においては、冷却剤が放出される場所において、オリフィス７は、開口５４の近傍に位置している。第２側方スカート１０５をなす面は、この実施形態においては、ディッシュ５１の外周面に対して直接的に相互作用する。この場合、第２側方スカート１０５は、ディッシュ５１と相互作用するネジ山１０６を備えている。これにより、ディッシュ回りにおいて数回にわたって巻回した螺旋ダクトを形成している。これにより、冷却剤は、両横断壁１００，１０３を通過して導出口１０７にまで案内される。これにより、冷却剤は、カバースカートのうちの、最終的に受領され得る空間内へと放出される。
【００５８】
特に、導出口１０７は、ユニット６ａ，６ｂを互いに取り付けるための手段を形成する。具体的には、図示の実施形態においては、第２ユニット６ｂは、下部横断壁１００を貫通して形成された出口アウトレット１０９を貫通して係合したチューブ状部分１０８を備えている。
【００５９】
図示の実施形態においては、例えばシート２７といったような多孔性材料から形成されたようなシートは、設けられていない。図示していない変形例においては、シート２７に類似したものを設けることができる。特に、シート２７内に、冷却剤のための螺旋ダクトを形成し得るようディッシュ５１の外周縁に対して相互作用し得るよう構成されたネジ山を、形成することができる。
【００６０】
図１〜図４に示される実施形態においては、冷却デバイス１は、軸線Ｘの高さ全体に沿って実質的に円形の横断面形状を有した外面を備えている。変形例においては、横断面は、多角形とされ、図６〜図１０に示される実施形態においては、実質的にダイヤモンド形状とされている。
【００６１】
本発明による冷却デバイス１の変形例においては、図１１および図１２に示すように、冷却デバイス１は、カバースカート１６を備えていない。ベース１４の第２環状スカート６１が、軸線Ｘに沿って延出されており、支持体６のカラー７５に対して直接的に相互作用するものとされている。この場合、環状スカート６１は、カバースカートとして機能する。
【００６２】
図１１に示す変形例においては、この場合には金属製ディッシュの形態とされた収容デバイス５は、多孔性材料からなるシートを有していないハウジング８内へと直接的に配置される。オリフィス７は、ディッシュのベースの近傍において開口している。ディッシュ５１と支持体６との間の遊びのために、放出された冷却剤は、ディッシュ５１の壁に沿って徐々に上昇する。ディッシュの周縁５３は、この場合には、側壁７２の内周エッジ７６上に係止されている。この場合、側壁７２は、円錐台形状とされ、ディッシュ５１がなす円錐台形状という周縁形状に適合している。これにより、ディッシュ５１と側壁７２との間で空間であるとともに冷却ガスを膨張させ得る空間を、一定なものとしている。ベント穴７７が、エッジ７６を貫通して形成されている。これにより、冷却ガスを膨張させることができる。このベント穴７７は、支持体６とベース１４との間に規定された内部空間に対して連通している。この内部空間内には、加圧容器２が配置されている。
【００６３】
図１１においては、カバー２１は、側壁７２の上部に形成された固定手段によって、支持体６上に保持されている。したがって、この場合には環状ビードの形態とされた保持手段２６が、側壁７２の上部の内周縁に対して相互作用する。これにより、周縁５３を、ハウジング８内において、一定の軸線方向位置に保持することができる。
【００６４】
図１１においては、支持体６のカラー７５は、例えば、第２環状スカート６１上の固定ポイントを介して保持される。固定ポイントは、例えば、カラー７５から突出したラグ７８と、グルーブ６４と、の間において得られる。グルーブ６４は、例えばバヨネットタイプのものとされ、第２環状スカート６１の周縁内に形成されている。これにより、例えば、バルブ３は、傾斜によって駆動することができる。この場合、固定ポイントは、ベース１４に対して支持体６が回転するに際してのヒンジとして機能する。
【００６５】
容器２が、第１環状スカート１５によってベース１４内において不動に保持されていることにより、さらに、支持体６が、取付スカート７１を介して駆動ステム４上に保持されていることにより、ベース１４に対して支持体６を傾斜させることによって、冷却剤を放出することができる。図１１において矢印で示すようにして、カバー２１に対して、固定ポイントとは反対側のサイドにおいて、中心軸から位置ズレしたところにおいて、押圧力を印加することにより、支持体が傾斜する。
【００６６】
図１２の変形例においては、支持体６は、この場合には、最も嵩低い構造のものとされている。支持体６は、ベース７０から延在する取付スカート７１を備えている。このベース７０は、側壁７２を有している。側壁７２は、一方においては、支持体６の第２環状スカート６１に対して相互作用するためのものであり、これにより、軸線Ｘに沿っての、相対的な軸線方向移動を可能としている。側壁７２は、他方においては、冷却対象をなす収容デバイス５に対して相互作用する。収容デバイス５は、例えば、側壁７２との摩擦によって保持される。この場合、側壁７２は、ベース７０の周縁から双方向に延出されている。
【００６７】
図１２の実施形態においては、収容デバイス５は、冷却剤を搬送するためのチャネル５０を備えている。チャネル５０は、支持体６の流通チャネル３１に対して流体連通されている。収容デバイス５は、さらに、製品Ｐを収容しているリザーバ５２を取り囲んでいるグリッピングスカート５１を備えている。このグリッピングスカート５１は、多孔質部材５３によって、リザーバ５２内における所望温度にまでへの冷却に対して、隔離されている。この多孔質部材５３の利点は、冷却剤が膨張する際に冷却剤を保持し得ることである。
【００６８】
グリッピングスカート５１は、好ましくは、側壁７２に対して相互作用する。これにより、支持体６上に収容デバイス５を保持することができる。この場合、カバー２１は、製品Ｐを外側から隔離し得るよう、リザーバ５２に対して直接的に相互作用する。
【００６９】
リザーバ５２の外周縁５４は、ネジ山付きのものとされている。これにより、搬送チャネル５０が、リザーバ５２の頂部において開口している。この場合、冷却剤は、ネジ山付き外周縁５４と多孔質部材５３との間に形成されたコイルに沿って搬送され、リザーバ５２の下部を取り囲むこととなる。
【００７０】
この実施形態にもおいて、ベント穴５５が形成されている。この場合、ベント穴は、グリッピングスカート５１を貫通して形成されている。このベント穴５５は、冷却剤が膨張しなければならない空間の内部において過度の圧力が形成されてしまうことを、防止する。さらに、ベント穴は、冷却剤の膨張を制御することができる。
【００７１】
使用者が、適用前に特に皺伸ばしクリームといったような化粧用製品を冷却しようとした場合、使用者は、任意の実施形態に基づくデバイス１の支持体６上へと、その製品を収容している収容デバイスを配置し、その後、ベース１４へと向かう向きに支持体を押圧する。これにより、バルブ３の駆動ステム４により、加圧容器２内へと加圧状態で収容された冷却剤が放出される。使用者は、支持体に対する押圧力を解除し、そして、例えば１分間〜３分間といったように、冷却剤が膨張するとともに伝導によって収容デバイス５を冷却しこれにより内部の製品を冷却し得るだけの時間にわたって、待つ。その後、冷却済みの製品を、適用することができる。
【００７２】
収容デバイス５が１回分の使用量を収容したものである場合には、使用者は、支持体６から取り出して、冷却対象をなす新たな製品を補充することができる。
【００７３】
好ましくは、支持体６、ベース１４、カバー２１、および、カバースカート１６は、適切であれば、例えばポリオレフィンといったような熱可塑性物質の成型によって得られた部材とされる。好ましくは、収容デバイスのうちの、冷却対象をなす製品のためのリザーバをなす部分は、伝導性材料から形成され、特に、金属材料から形成される。
【００７４】
多孔質シート２７と、付加的には、多孔質部材５３とは、フリット、あるいは、開放セルを有した発泡フォーム、から形成される。それらは、冷却された温度を維持するためのアキュムレータとして機能する。
【００７５】
上記説明において、『１つのものを備えている』という用語が、特に断らない限り、『少なくとも１つのものを備えている』という用語と同義であることは、理解されるであろう。
【００７６】
上述した詳細な説明においては、本発明のいくつかの好ましい実施形態を参照した。自明なように、特許請求の範囲を逸脱することなく、それら実施形態に対して修正を加えることができる。特に、冷却剤は、製品が収容デバイスの周囲へと放出されるものである場合には、収容デバイスを加熱し得る物質によって代替することができる。
【図面の簡単な説明】
【００７７】
【図１】本発明による冷却デバイスの第１実施形態を示す斜視図である。
【図２】図１のデバイスを示す長手方向断面図である。
【図３】図１のデバイスの一部を示す図である。
【図４】図２の領域Ｚを拡大して示す図である。
【図５】本発明による冷却デバイスを保持するためのリングを示す斜視図である。
【図６】本発明による冷却デバイスの第２実施形態を示す斜視図である。
【図７】図６のデバイスを示す長手方向断面図である。
【図８】図６の冷却デバイスのための支持体を示す分解斜視図である。
【図９】図６の冷却デバイスのための支持体を示す分解斜視図である。
【図１０】図６の冷却デバイスのための支持体を示す分解斜視図である。
【図１１】本発明による冷却デバイスの変形例を示す長手方向断面図である。
【図１２】本発明による冷却デバイスの他の変形例を示す長手方向断面図である。
【符号の説明】
【００７８】
１  冷却デバイス
２  加圧容器
３  バルブ
５  収容デバイス
６  支持体
１０  第１端部
１４  ベース
１６  カバースカート
２１  カバー
２７  多孔質シート
５１  ディッシュ
５２  フィルム
５４  開口
Ｐ  製品
Ｘ  長手方向軸線
【図１】
2007093198.tif 000003
【図２】
2007093198.tif 000004
【図３】
2007093198.tif 000005
【図４】
2007093198.tif 000006
【図５】
2007093198.tif 000007
【図６】
2007093198.tif 000008
【図７】
2007093198.tif 000009
【図８】
2007093198.tif 000010
【図９】
2007093198.tif 000011
【図１０】
2007093198.tif 000012
【図１１】
2007093198.tif 000013
【図１２】
2007093198.tif 000014
【外国語明細書】
2007093198.tif 000015
2007093198.tif 000016
2007093198.tif 000017
2007093198.tif 000018
2007093198.tif 000019
2007093198.tif 000020
2007093198.tif 000021
2007093198.tif 000022
2007093198.tif 000023
2007093198.tif 000024
2007093198.tif 000025
2007093198.tif 000026
2007093198.tif 000027
2007093198.tif 000028
2007093198.tif 000029
2007093198.tif 000030
2007093198.tif 000031
2007093198.tif 000032
2007093198.tif 000033
2007093198.tif 000034
2007093198.tif 000035
2007093198.tif 000036
2007093198.tif 000037